【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
複数個のネジ孔（１）が所定の間隔で形成された、骨髄内に挿入されるネール（２）と、上記ネール（２）と平行に伸びて後部が上記ネール（２）の後端に着脱自在に連結され、所望の上記ネジ孔（１）へと骨貫通用刺入線材（７，２５）を案内する複数個のガイド孔（３ａ，３ｂ）が上記ネール（２）のネジ孔（１）に夫々正対するように形成され、後部寄りの複数個の上記ガイド孔（３ａ）を横断するようにスロット（１６）が形成された治具（４）と、上記ネール（２）と平行にスライド可能に上記治具（４）に取り付けられた牽引スライダ（５）と、骨折線を挟む一方の骨部（Ａ）に上記牽引スライダ（５）側から上記治具（４）のスロット（１６）を通して突き立てられ、上記牽引スライダ（５）のスライドと共にこのスロット（１６）内を移動可能な牽引用刺入線材（６）とを具備することを特徴とする骨折治療用装置。
【請求項２】
請求項１に記載の骨折治療用装置において、上記一方の骨部（Ａ）が、骨折線を挟む他方の骨部（Ｂ）に対し、上記牽引用刺入線材（６）を介して上記牽引スライダ（５）により牽引され、上記骨貫通用刺入線材（７，２５）により上記ネール（２）のネジ孔（１）に通じる孔が上記各骨部（Ａ，Ｂ）にあけられた後に、上記各骨部（Ａ，Ｂ）の孔から上記ネール（２）の所望のネジ孔（１）に螺入されるスクリュー（８）をさらに具備することを特徴とする骨折治療用装置。
【請求項３】
請求項１又は請求項２に記載の骨折治療用装置において、ネール（２）がネールホルダ（９）に着脱自在に連結され、ネールホルダ（９）が治具（４）に着脱自在に連結されたことを特徴とする骨折治療用装置。
【請求項４】
請求項１乃至請求項３のいずれかに記載の骨折治療用装置において、治具（４）の後部又はネール（２）の後部に取っ手（９ｅ）が連結されたことを特徴とする骨折治療用装置。
【手続補正２】
【補正対象書類名】明細書
【補正対象項目名】０００６
【補正方法】変更
【補正の内容】
【０００６】
上記課題を解決するため、請求項１に係る発明は、複数個のネジ孔（１）が所定の間隔で形成された、骨髄内に挿入されるネール（２）と、上記ネール（２）と平行に伸びて後部が上記ネール（２）の後端に着脱自在に連結され、所望の上記ネジ孔（１）へと骨貫通用刺入線材（７，２５）を案内する複数個のガイド孔（３ａ，３ｂ）が上記ネール（２）のネジ孔（１）に夫々正対するように形成され、後部寄りの複数個の上記ガイド孔（３ａ）を横断するようにスロット（１６）が形成された治具（４）と、上記ネール（２）と平行にスライド可能に上記治具（４）に取り付けられた牽引スライダ（５）と、骨折線を挟む一方の骨部（Ａ）に上記牽引スライダ（５）側から上記治具（４）のスロット（１６）を通して突き立てられ、上記牽引スライダ（５）のスライドと共にこのスロット（１６）内を移動可能な牽引用刺入線材（６）とを具備する骨折治療用装置を採用する。
【手続補正３】
【補正対象書類名】明細書
【補正対象項目名】０００７
【補正方法】変更
【補正の内容】
【０００７】
また、請求項２に係る発明は、請求項１に記載の骨折治療用装置において、上記一方の骨部（Ａ）が、骨折線を挟む他方の骨部（Ｂ）に対し、上記牽引用刺入線材（６）を介して上記牽引スライダ（５）により牽引され、上記骨貫通用刺入線材（７，２５）により上記ネール（２）のネジ孔（１）に通じる孔が上記各骨部（Ａ，Ｂ）にあけられた後に、上記各骨部（Ａ，Ｂ）の孔から上記ネール（２）の所望のネジ孔（１）に螺入されるスクリュー（８）をさらに具備する骨折治療用装置を採用する。
【手続補正４】
【補正対象書類名】明細書
【補正対象項目名】０００９
【補正方法】変更
【補正の内容】
【０００９】
また、請求項４に係る発明は、請求項１乃至請求項３のいずれかに記載の骨折治療用装置において、治具（４）の後部又はネール（２）の後部に取っ手（９ｅ）が連結された骨折治療用装置を採用する。
【手続補正５】
【補正対象書類名】明細書
【補正対象項目名】００１０
【補正方法】変更
【補正の内容】
【００１０】
請求項１に係る発明によれば、複数個のネジ孔（１）が所定の間隔で形成された、骨髄内に挿入されるネール（２）と、上記ネール（２）と平行に伸びて後部が上記ネール（２）の後端に着脱自在に連結され、所望の上記ネジ孔（１）へと骨貫通用刺入線材（７，２５）を案内する複数個のガイド孔（３ａ，３ｂ）が上記ネール（２）のネジ孔（１）に夫々正対するように形成され、後部寄りの複数個の上記ガイド孔（３ａ）を横断するようにスロット（１６）が形成された治具（４）と、上記ネール（２）と平行にスライド可能に上記治具（４）に取り付けられた牽引スライダ（５）と、骨折線を挟む一方の骨部（Ａ）に上記牽引スライダ（５）側から上記治具（４）のスロット（１６）を通して突き立てられ、上記牽引スライダ（５）のスライドと共にこのスロット（１６）内を移動可能な牽引用刺入線材（６）とを具備する骨折治療用装置であるから、牽引スライダ（５）により第一の刺入線材（６）を牽引することにより骨折線を挟む骨部（Ａ，Ｂ）を元の位置まで簡易に引き離し、その状態を保持したままスクリュー（８）で骨部（Ａ，Ｂ）をネール（２）に固定することができる。従って、骨整復手術を簡易かつ正確に行うことができる。
また、請求項１に係る発明によれば、複数個のネジ孔（１）が所定の間隔で形成された骨髄内に挿入されるネール（２）に対し着脱自在であり、ネール（２）に連結した際にネール（２）のネジ孔（１）に夫々正対する複数個のガイド孔（３ａ，３ｂ）が形成された骨折治療用治具であるから、治具（４）のガイド孔（３ａ，３ｂ）をガイドにしてスクリュー（８）、刺入線材（６，７）等を通すことができるので、外部から見えない骨髄内に通したネール（２）のネジ孔（１）に対し、スクリュー（８）、刺入線材（６，７）等を簡易かつ正確に通すことができる。
【手続補正６】
【補正対象書類名】明細書
【補正対象項目名】００１１
【補正方法】変更
【補正の内容】
【００１１】
請求項２に係る発明によれば、請求項１に記載の骨折治療用装置において、上記一方の骨部（Ａ）が、骨折線を挟む他方の骨部（Ｂ）に対し、上記牽引用刺入線材（６）を介して上記牽引スライダ（５）により牽引され、上記骨貫通用刺入線材（７，２５）により上記ネール（２）のネジ孔（１）に通じる孔が上記各骨部（Ａ，Ｂ）にあけられた後に、上記各骨部（Ａ，Ｂ）の孔から上記ネール（２）の所望のネジ孔（１）に螺入されるスクリュー（８）をさらに具備する骨折治療用装置であるから、牽引スライダ（５）により骨貫通用刺入線材（７）に対し牽引用刺入線材（６）を牽引することにより骨折線を挟む骨部（Ａ，Ｂ）を元の位置まで簡易に引き離し、その状態を保持したままスクリュー（８）で骨部（Ａ，Ｂ）をネール（２）に固定することができる。従って、骨整復手術を簡易かつ正確に行うことができる。
【手続補正７】
【補正対象書類名】明細書
【補正対象項目名】００１３
【補正方法】削除
【補正の内容】
【手続補正８】
【補正対象書類名】明細書
【補正対象項目名】００３６
【補正方法】変更
【補正の内容】
【００３６】
この骨折治療用の治具４はネール２に連結した際にネール２のネジ孔１に夫々正対する複数個のガイド孔３ａ，３ｂを有することから、骨髄内に通すことにより外部から見えなくなったネール２のネジ孔１に対し刺入線材７を簡易かつ正確に挿入することができる。